(57)【特許請求の範囲】
【請求項１】
飼料タンク、該飼料タンク下部に設けられた飼料供給パイプ、給水器、及び飼槽を有する給餌装置において、前記飼槽が採餌棚と該採餌棚よりも一段と低い位置に設けられた飲水部に区画され、前記採餌棚が前記飼料供給パイプの下端に面し、且つ前記採餌棚に前記飼料供給パイプの直下部に位置するように餌滞留防止凸部が設けられ、前記飼料供給パイプは上下調節可能且つ回転自在に設けられ、前記採餌棚への餌吐出量を調整できるようになっており、且つ前記飼料タンク及び前記飼槽が本体フレームに装着され、該本体フレームが支柱、該支柱に支持された柵状フレームとから構成され、前記支柱に前記飼料タンクと前記飼槽とを固定支持させ、且つ前記柵状フレームで前記飼料タンクと前記飼槽間の空間部中央を仕切り、畜房間仕切部中間に設置して両側の畜房から採餌できるようにしてなることを特徴とする給餌装置。
【発明の詳細な説明】
【０００１】
【発明の属する技術分野】
本発明は、給餌装置、特に飲水部と採餌部を区分して餌と水が混ざらないで豚が採餌できるようにした養豚用の給餌装置に関する。
【０００２】
【従来の技術】
従来、飼料タンク、飼料供給パイプ、飼槽及び給水装置を備え、飼料供給パイプから飼料を飼槽底部及び飼槽の餌受板に流出させるようにした養豚用給餌装置が知られている（例えば、実公平５−３６３７０号公報、実開平３−５０８５４号公報）。これら従来のものは、飼料供給パイプを飼槽底部と間隔を有して設置し、隙間から餌を吐出させて採餌させるもの、あるいは飼料供給パイプ下部に所定の間隔を有して平板状の餌受板を設置して餌受板上に餌を吐出させ、該餌受板上の滞留餌を豚が採餌中に直接又は豚が飼料供給パイプを揺動させることによって飼槽に落下させ、餌と水を混ぜた状態で採餌させるものである。即ち、餌受板を有していても餌受板上では殆ど採餌されることがないので、飲水部と採餌部が一緒になっている状態にある。
【０００３】
【発明が解決しようとする課題】
前記従来の給餌装置のうちパイプ揺動式は、パイプ直下の餌豚が採餌しにくいので、採餌がパイプ外周部のみになりパイプ直下部に古い餌が滞留し易くなる欠点がある。パイプ直下部の餌を採餌させるには、パイプの揺動幅を大きくすれば良いが、揺動幅を大きくすると採餌部と反対側に餌が多く溜るようになり、別の不都合が生じる。一方、パイプ固定式のものは、パイプ下端と餌受板との間隔が小さいとパイプ直下部の餌を採餌できない欠点がある。従って、パイプ直下部の餌を採餌させるには、餌受板との間隔を大きくしなければならず、餌の吐出量が多くなり、餌受板から余分に落下してしてしまい、給水装置を有する給餌器では吐出飼料が溜り水に水没してしまう原因となる欠点がある。
【０００４】
従来、飼料が水にぬれて湿った状態の餌の方が、豚にとって食べ易いと考えられ、飼料貯留タンクから排出された飼料が飼槽に落下し飼槽内の水と混合状態にして、採餌、採飲させているが、常に水と混合状態の飼料を採餌させると、水の摂取量が多くなり飼料の摂取量が減る事態も発生し発育に影響することがある。また、湿った餌では良いが、水没したりダンゴ状態に固まった飼料に対しては豚の嗜好性も悪くなり喰い残しが発生し、飼料のムダとなる欠点もある。そして、そのまま放置すれば腐敗の原因にもなっている。
【０００５】
本発明は、従来の給餌装置の上記問題点を解決しようとするものであり、飼料供給パイプから餌受棚に飼料を適量に落下させて、しかも飼料供給パイプの直下に餌が滞留することなく、餌受棚に吐出した餌を餌受棚上で効率良く採餌することができ、飼料と水を別々に採ることができ、飼料効率が高くまた残留餌が腐敗することもなく飼料のムダの少ない給餌装置を提供することを目的とする。
【０００６】
【課題を解決するための手段】
上記目的を達成する本発明の給餌装置は、飼料タンク、該飼料タンク下部に設けられた飼料供給パイプ、給水器、及び飼槽を有する給餌装置において、前記飼槽が採餌棚と該採餌棚よりも一段と低い位置に設けられた飲水部に区画され、前記採餌棚が前記飼料供給パイプの下端に面し、且つ前記採餌棚に前記飼料供給パイプの直下部に位置するように餌滞留防止凸部が設けられ、前記飼料供給パイプは上下調節可能且つ回転自在に設けられ、前記採餌棚への餌吐出量を調整できるようになっており、且つ前記飼料タンク及び前記飼槽が本体フレームに装着され、該本体フレームが支柱、該支柱に支持された柵状フレームとから構成され、前記支柱に前記飼料タンクと前記飼槽とを固定支持させ、且つ前記柵状フレームで前記飼料タンクと前記飼槽間の空間部中央を仕切り、畜房間仕切部中間に設置して両側の畜房から採餌できるようにしてなることを特徴とするものである。前記飼料供給パイプを上下調節可能に設け、前記採餌棚への餌吐出量を調整できるようにすることによって豚の成長度等に応じて最適量の餌を供給することができる。
【０００７】
また、前記飼料タンクと前記飼槽間の空間部を中央から柵状フレームで仕切ることによって、前記給餌装置を畜房間仕切部中間に設置して両側の畜房から同時に採餌でき、１個の給餌装置で２畜房に給餌でき、省スペースと装置コストの低減化を図ることができる。
【０００８】
【発明の実施の形態】
以下、本発明の実施形態を図面に基づき詳細に説明する。
図１は本発明の実施形態に係る給餌装置を畜房間仕切中間に設置した状態での断面図を示している。本実施形態の給餌装置１は、両側の豚房でそれぞれ豚が２頭並んで採餌できる２頭口に適用した場合の例であり、飼料を貯留するホッパー状の飼料タンク２、該タンク下部の開口部に回転可能に支持された飼料供給パイプ３、該飼料供給パイプの直下に設けられた採餌棚４と該採餌棚より一段と低い位置に設けられた飲水部５が一体になった飼槽６、及び給水器７とを本体フレーム８に装着して構成されている。本実施形態では、本体フレーム８は支柱２６と該支柱に支持された柵状フレーム２７とから構成され、支柱９を畜房間仕切り２５の支柱と兼用して、該支柱に飼料タンク２と飼槽６と固定支持させ、且つ柵状フレーム２７で飼料タンク２と飼槽６間の空間部中央を仕切ると共に、後述するように給水配管パイプと飼料供給パイプの揺動防止リング２４の支持に兼用している。
【０００９】
飼料供給パイプ３は、上端部が飼料タンク２の流出口部１０の外側に遊嵌合して回転自在且つ上下動可能に支持されている。その支持構造は、飼料供給パイプ３をその軸心を貫通する支持軸１４に回転支持部１６を介して支持し、該支持軸の上端に固定されたねじ棒１５を、飼料タンク２内に架設された支持枠１１に支持されている調節ハンドル１２のねじパイプ１３に螺合してなる。回転支持部１６は、適宜手段が採用でき、本実施形態では支持軸１４にフランジ１８を設け、該フランジに係止する支持リング１９を飼料供給パイプ内周壁から延びるアーム２０により支持し、前記支持リング１９をフランジ１８上に載せることにより、支持棒が飼料供給パイプ３を回転自在に支持すると共に、調節ハンドル１２を回転させることにより、ねじ棒１５の上下動に伴って飼料供給パイプ３も上下動するようになっている。飼料供給パイプ３の下端縁と採餌棚４表面との間隙が餌吐出口１７を形成し、調節ハンドル１２を作動することによって、該餌吐出口１７の開口量を任意に調節することができる。なお、支持軸１４には支持リング１９と係合する上がり止め突起２９が形成され、豚が飼料供給パイプを鼻で動作したとき、飼料供給パイプ３が無制限に上がらないようにしている。支持リング１９と上がり止め突起２９との間は若干隙間があり、支持軸１４に対する飼料供給パイプ３若干の上下動は可能である。
【００１０】
なお、２１は、飼料供給パイプ３を支持棒１４に対して回動及び上下動可能に案内するガイド手段であり、該ガイド手段によって、飼料供給パイプを支持棒に対して揺動させないでスムーズに上下に調節することができる。また、２２、２３は飼料供給パイプ３が本体フレームに対して揺動するのを防止するために設けられた揺動規制手段であり、図４に示すように、本体フレームから延びるアームによって飼料供給パイプの外周部に遊嵌している２つ割のリングを支持して構成されている。
【００１１】
飼槽６は、図１及び図４に示すように、幅方向中央部に前記飼料供給パイプの下方に面して採餌棚４が形成され、その両側の一段と低い位置に飲水部５が形成されてなり、金属板又は合成樹脂で別体に成形されて支柱９に固定されている。採餌棚４は、飼料供給パイプ３の直下部に円錐状の餌滞留防止凸部３０を設け、飼料供給パイプから落下した餌が該飼料供給パイプ外周部に繰り出し易いようにしてある。また、餌受棚４の周縁部は、飲水部５との境目の両側に小さい落下防止凸条３１を形成し、採餌棚に吐出した飼料を採餌中に餌が飲水部５に落下するのを防止している。
【００１２】
両側の飲水部５には、給水器７の給水口が採餌棚面によりも低い位置となるように、飲水部の底面に向けてそれぞれ設置されている。それにより、給水器７から供給される水が採餌棚上の餌にかかることを防止すると共に、溜り水が採餌棚面よりも上にきて飼料が水没するのを防止している。また、給水器の給水口を採餌棚面より低い位置に配して、飲水部５の底面との間隔を小さくすることによって、給水器の作動が困難になり、豚が悪戯して過剰に給水することを防止することができる。給水器７は、図示のように、本体フレームの柵状フレーム２７に配置された給水配管３２の下端に設けられ、給水配管の上端部には配管ソケット３３が設けられ、豚舎に配置される給水管と連結できるようになっている。給水器７は両側の飲水部の略中央に１個ずつ設けられ、両側の豚房から豚が操作できるようになっている。
【００１３】
本実施形態の給餌装置は、以上のように構成され、畜房間仕切り間に設置することによって、両側の畜房から同時に採餌することができる。その際、飼料タンクと飼槽間の空間部は柵状フレームで仕切られているので、両畜房の豚同士が採餌中に邪魔されることなく、採餌することができる。本実施形態の給餌装置において、飼料タンク２に供給された飼料は、流出口部１０を介して飼料供給パイプ３内に落下し、その下方の採餌棚４に受けられ、力学的にバランスがとれた状態で吐出が停止し採餌棚上に堆積する。従って、採餌棚４上面と飼料供給パイプ３下端との隙間の大きさによって採餌棚上への餌の流出を制御することができる。本実施形態では、調節ハンドル１２を回すことによって、ねじパイプ１３とねじ棒１５のねじ作用により支持棒１４が上下動し、それと一体に回転支持部１６を介して飼料供給パイプ３も上下動し、餌吐出口の開口量を調整することができる。なお、飼料供給パイプ３の上昇は回転支持部のフランジ１８が飼料供給パイプに設けられた支持リングを押し上げることによって行われるが、下降は支持リング１９を支持しているフランジ１８が下降することによって、飼料供給パイプは自重又は支持軸１４に設けられた上がり止め突起２９によって下降する。
【００１４】
飼料供給パイプ３から採餌棚上に吐出した飼料は、飼料供給パイプ直下に円錐状の餌滞留防止凸部３０があるため、該凸部に沿って飼料供給パイプ直下から外周部に拡がって吐出する。従って、飼料供給パイプ直下に餌が滞留することがないので、採餌棚上に流出した全ての餌を豚が直接採餌可能となり、吐出順に新鮮な餌を採餌させることができる。また、豚が鼻で飼料供給パイプを回転させることによって、餌吐出口１７にある餌が掻き回されるので、餌吐出口付近の餌が豚の鼻息等で湿っても餌吐出口がつまることなく、良好に採餌棚に餌を繰り出すことができる。また、採餌棚の周囲には落下防止凸条３１があるため、採餌棚からの餌こぼれが少なく、豚は採餌棚から乾いた餌を効率良く採餌することができる。そして、給水器７を押すことによって飲水部５に水が流出し、水のみを適量に飲水することができる。その際、給水器の水流出口は採餌棚よりも下面にあるので、給水器から噴出した水が採餌棚の餌にかかることがなく、採餌棚の餌を乾いた状態に維持することができる。
【００１５】
以上、本発明の一実施形態について説明したが、本発明は上記実施形態に限るものでなく、その技術的思想の範囲内で種々の設計変更が可能である。例えば、上記実施形態では、畜房間仕切部中間に設置して両側の畜房から採餌できるようにしたが、もちろん畜房間仕切りとは別体にして単独で畜房内に設置するようにしても良い。畜房内に設置する給餌装置の場合は、前記柵状フレームを設ける必要はなく、豚は周囲から自由に採餌することができるようにすれば良い。また、畜房間間仕切り部に設ける場合であっても、本体フレームと畜房間仕切りとは別体に形成しても良い。さらに、上記実施形態では２頭口の給餌装置の場合について説明したが、本発明の給餌装置は、２頭口に限らず１頭口或いは多頭口の給餌装置にも適用できることは言うまでもない。１頭口の場合は、図１に示す給餌装置において、タンクを小型化し、飼槽の飲水部は採餌棚の片側のみに設ければ良い。さらに、前記実施形態では飼料供給パイプは回転式としたが、必ずしも回転式でなくても、吐出口がつまるのを防止できる程度に揺動可能又は振動可能に設置しても良い。さらには、望ましくはないが固定式であっても可能である。
【００１６】
【発明の効果】
本発明は、以上のように構成され次のような格別な効果を奏する。
本発明の給餌装置によれば、採餌棚に飼料供給パイプの直下部に位置するように餌滞留防止凸部を設けてあるので、飼料供給パイプから流出する餌が飼料供給パイプの下方外周部に流出し易くなり、パイプ直下部に餌の滞留がなくなり、常に新しい餌を供給することができると共に餌のムダがなく効率的に給餌することができる。そして、飼料供給パイプを大きく揺動させる必要もないので、給餌装置をコンパクトに構成することができる。また、飼槽は採餌部である採餌棚と飲水部に別個に区画され、餌供給パイプから落下した餌は採餌棚に受けて採餌棚上で採餌するようになっているから、豚は常に乾いた新鮮な餌を食べることができ、従来の餌と水を混合状態で採餌させるのに比べて、過飲水になることなく飼料効率を高めることができる。
【００１７】
さらに、請求項２の構成によれば、飼料の形態に応じて又は豚の成長度や頭数等に応じて簡単に採餌棚への餌吐出量を調整できる。また、請求項３の構成によれば、給餌装置を畜房間仕切部中間に設置して両側の畜房から採餌できるので、１個の給餌装置で２畜房に給餌でき、省スペースと装置コストの低減化を図ることができる。
【図面の簡単な説明】
【図１】本発明の実施形態に係る給餌装置を畜房間仕切中間に設置した状態での断面図を示している。
【図２】その側面図である。
【図３】その平面図である。
【図４】図１におけるＡ−Ａ断面図である。
【符号の説明】
１  給餌装置                      ２  飼料タンク
３  飼料供給パイプ                ４  採餌棚
５  飲水部                        ６  飼槽
７  給水器                        ８  本体フレーム
１０  餌流出口                    １２  調節ハンドル
１５  支持棒                      １７  餌繰出口
２２、２３  揺動規制手段          ２５  畜房間仕切
２７  柵状フレーム                ３０  餌滞留防止凸部
３１  落下防止凸状                ３２  給水配管
【図１】
0003974277.tif 000002
【図２】
0003974277.tif 000003
【図３】
0003974277.tif 000004
【図４】
0003974277.tif 000005